(57)【要約】  短くすることができる脚部４、５を有するコンバーチブル衣服。脚部４、５は、膝下の長さまで延び、それぞれ底部裾端部６、７を有する。解放可能な継目９、１０が、各裾６、７から脚部４、５の内側脚部側に沿って延びる。各脚部４、５の下方部分（Ｆ）上に、脚部取付け装置３０が設けられる。解放可能な継目９、１０の上端部より上方に、それぞれの上方衣服取付け装置３１が設けられる。この衣服は、解放可能な継目９、１０を開き、各脚部４、５の下方部分（Ｆ）を衣服の上方部分（Ｇ）の隣に延びるように折り曲げることにより、長脚部構成から短脚部構成に変換される。脚部取付け装置３０は、下方部分（Ｆ）をそれぞれの上方部分（Ｇ）に固定するために、上方衣服取付け装置３１のうちの対応するものに解放可能に係合される。【選択図】  図２０
2010531395.tif 000002
【特許請求の範囲】
【請求項１】
短くすることができる脚部を有するコンバーチブル衣服であって、
膝下の長さまで延び、それぞれが底部裾端部を有する１対の脚部と、
各裾からそれぞれ前記脚部の内側に沿って延びる解放可能な継目と、
前記脚部のそれぞれの下方部分に設けられた脚部取付け装置と、
前記解放可能な継目の上方端部のそれぞれより上方にある、共動する上方衣服取付け装置と
を備え、
前記解放可能な継目は、開くことができ、前記脚部の各々の下方部分は、当該衣服の上方部分に沿って延びるように折り曲げられ、前記脚部取付け装置は、当該衣服を長脚部構成から短脚部構成に変換すべく、前記下方部分が当該衣服の対応する前記上方部分に固定されるように、前記上方衣服取付け装置のうちの対応する１つと解放可能に係合され、
さらに股部を備え、
前記上方衣服取付け装置が前記股部より上方に配置されている、コンバーチブル衣服。
【請求項２】
ウエストバンド部分を備え、前記上方衣服取付け装置が前記ウエストバンド部分に隣接して配置されている、請求項１に記載のコンバーチブル衣服。
【請求項３】
前記上方衣服取付け装置が、前記衣服の外側上に配置され、前記下方脚部部分が、前記衣服の前記上方部分の外側となるように上向きに折り曲げられる、請求項１又は２に記載のコンバーチブル衣服。
【請求項４】
前記上方衣服取付け装置が、前記衣服の内側上に配置され、前記下方脚部部分が、前記衣服の前記上方部分の内側となるように折り曲げられる、請求項１〜３のいずれか一項に記載のコンバーチブル衣服。
【請求項５】
前記衣服の前記上方部分が、前記共動脚部取付け装置と前記上方衣服取付け装置の取付け及び取外しを容易にするための少なくとも１つのアクセス開口部を備える、請求項４に記載のコンバーチブル衣服。
【請求項６】
前記アクセス開口部が、前記衣服の周りに周方向に延びる横方向開口部と、前記横方向開口部と交わりそこから下方向に延びる縦方向開口部とを備え、もって少なくとも１つのフラップを画成し、前記少なくとも１つのフラップは、対応する前記脚部を短くするための前記脚部内部を通る前記下方脚部部分へのアクセスを容易にするように、前記アクセス開口部を開くために外向きに開くことができる、請求項５に記載のコンバーチブル衣服。
【請求項７】
まちが、前記フラップの前記移動を制限するように前記開口部の端から端まで延びる、請求項６に記載のコンバーチブル衣服。
【請求項８】
前記解放可能な継目が、前記裾端部と前記上方衣服取付け装置のほぼ中間へと延びる、請求項１〜７のいずれか一項に記載のコンバーチブル衣服。
【請求項９】
前記脚部取付け装置が、前記脚部の各々の前記裾端部又はその隣接位置に配置されている、請求項１〜８のいずれか一項に記載のコンバーチブル衣服。
【請求項１０】
互いに対応する前記上方衣服取付け装置と前記脚部取付け装置との間で前記脚部のそれぞれに配置された中間取付け装置と、前記脚部取付け装置より下方で前記脚部のそれぞれに設けられた下方脚部取付け装置とをさらに備え、前記折り曲げられる下方部分が、互いに対応する前記脚部取付け装置と前記上方衣服取付け装置とを係合させるように前記上方部分に沿って折り曲げられる前に、前記脚部を短くするために、前記下方脚部部分を、互いに対応する前記下方脚部取付け装置と前記中間取付け装置とを係合させるように折り曲げることができる、請求項１に記載のコンバーチブル衣服。
【請求項１１】
前記中間取付け装置が、前記衣服の前記外側上にあり、前記下方脚部部分が、互いに対応する前記中間取付け装置と前記下方取付け装置とを係合させるように前記脚部の外側に折り曲げられる、請求項１０に記載のコンバーチブル衣服。
【請求項１２】
前記上方衣服取付け装置が、前記衣服の前記内側上に配置され、前記折り曲げられた下方脚部部分が、前記衣服の前記上方部分の内側となるように折り曲げられる、請求項１０又は１１に記載のコンバーチブル衣服。
【請求項１３】
前記下方取付け装置が、前記脚部の各々の前記裾端部又はその隣接位置に配置される、請求項１０〜１２のいずれか一項に記載のコンバーチブル衣服。
【請求項１４】
ウエストバンド部分を備え、前記上方衣服取付け装置が前記ウエストバンドに隣接して配置される、請求項１０〜１３のいずれか一項に記載のコンバーチブル衣服。
【請求項１５】
袖を有するコンバーチブル衣服であって、
肘下の長さまで延び底部袖口端部をそれぞれ有する１対の袖と、
各袖口から前記袖のそれぞれに沿って延びる解放可能な継目と、
前記袖のそれぞれの前記袖口端部又はその隣に設けられた袖取付け装置と、
前記解放可能な継目の上方端部上方のそれぞれにある上方衣服取付け装置と
を備え、
前記解放可能な継目は、開くことができ、前記袖の各々の下方部分は、前記袖の上方部分に沿って延びるように折り曲げられ、前記袖取付け装置は、当該衣服を長袖構成から短袖構成に変換すべく、前記袖口端部を当該衣服の対応する前記上方部分に固定するように、前記上方衣服取付け装置のうちの対応する一方に解放可能に係合させられる、コンバーチブル衣服。
【請求項１６】
上方衣服取付け装置が、前記袖の前記外側上に配置され、前記下方袖部分が、前記上方袖部分の外側となるように折り曲げられる、請求項１５に記載のコンバーチブル衣服。
【請求項１７】
前記上方衣服取付け装置が、前記袖の前記内側上に配置され、前記下方袖部分が、前記上方袖部分の内側となるように折り曲げられる、請求項１５に記載のコンバーチブル衣服。
【請求項１８】
前記上方袖部分が、前記袖取付け装置と前記上方衣服取付け装置の取付け及び解放を容易にするためのアクセス開口部を備える、請求項１７に記載のコンバーチブル衣服。
【請求項１９】
前記解放可能な継目が、前記袖口端部と前記上方衣服取付け装置のほぼ中間へと延びる、請求項１５〜１８のいずれか一項に記載のコンバーチブル衣服。
【請求項２０】
前記袖取付け装置が、前記袖の各々の前記袖口又はその隣接位置に配置される、請求項１５〜１９のいずれか一項に記載のコンバーチブル衣服。
【発明の詳細な説明】
【技術分野】
【０００１】
本発明は、脚部及び／又は袖を有するコンバーチブル（ｃｏｎｖｅｒｔｉｂｌｅ：変形可能な）衣服に関する。長脚部構成から短脚部構成、又は長袖構成から短袖構成にそれぞれ変換することができる衣服の、様々な応用例が存在する。こうしたタイプの衣服は、変化する気候条件又は着用者が体験する活動のレベルに備えるのに適しており、着用者が必要に応じてより涼しく、より暖かく、又は乾燥したままでいることを可能にすることが望ましい。例として工業用作業着及び軍服が挙げられる。
【背景技術】
【０００２】
コンバーチブルパンツの場合、例えば釣りやハイキングなどの活動において水域をうまく渡り切ることや水に入ってボートに乗り込むことが要求されることがある応用例も存在する。長パンツが着用されるとき、長パンツは、パンツの下方部分が濡れた場合にパンツが乾燥するまでの間着用者に不快感をもたらすという問題を生じるおそれがある。こうした問題は、従来２つのやり方で対処されてきた。長パンツの脚部を膝上まで巻き上げることが知られている。これは行いにくく、またパンツが戻り下がってくることが多い。いくつかの専用パンツは、脚部の周囲に周方向に延びるジッパなどによって上方部分に接合された、取外し可能な下方脚部区間を有する。このタイプのパンツは、パンツの下方部分を取り外し、後に再び取り付けることを可能にする。いくつかの点では満足であるが、パンツ脚部の下方部分の取外しを可能にするために履物を脱ぐことが必要となることも多い。結果的に、脚部の下方部分の取外しにより３つの別個の構成要素が生じ、取り外された構成要素を一時的に保管することが必要となるが、これは下方部分をうっかり紛失するという多大な危険性を伴う。
【０００３】
シャツの場合、この問題はさらに、シャツの袖を「巻き上げ」且つ固定することを可能にする装置を設けることによって対処されてきた。巻き上げられた袖を定位置に保持するために、ボタン、タブなどの様々な構成が設けられてきた。この対処法の難点として、巻き上げられた材料がかさばり、特にそれが濡れた場合に不快となるおそれがあることが挙げられる。既存の保持構成は一般に、巻き上げられた束を一点でのみ保持するが、この束は垂れ下がりやすく着用者の腕の動きを妨げるおそれがある。
【発明の概要】
【発明が解決しようとする課題】
【０００４】
本発明の目的は、上記欠点のうちの１つ又は複数に対処する、脚部及び／又は袖を有するコンバーチブル衣服を提供することである。
【課題を解決するための手段】
【０００５】
したがって、本発明は一態様において、短くすることができる脚部を有するコンバーチブル衣服を提供し、前記衣服は、膝下の長さまで延びそれぞれ底部裾端部を有する１対の脚部と、各裾から脚部の内側に沿って延びるそれぞれの解放可能な継目と、各脚部の下方部分上に設けられた脚部取付け装置と、開放可能な継目の上方端部より上方にある、共動するそれぞれの上方衣服取付け装置とを備え、前記解放可能な継目は、開くことができ、各脚部の下方部分は、衣服の上方部分の隣に延びるように折り曲げられ、脚部取付け装置は、衣服を長脚部構成から短脚部構成に変換するために、下方部分が衣服のそれぞれの上方部分に固定されるように、上方衣服取付け装置のうちの対応する１つと解放可能に係合させられる。この衣服はさらに、股部を備え、上方衣服取付け装置は股部より上方に配置される。
【０００６】
本発明の好ましい一形態において、この衣服は、ウエストバンド部分を備え、このウエストバンド部分は、ウエストバンドに隣接して配置される上方衣服取付け装置を有する。
【０００７】
本発明の一形態において、上方衣服取付け装置は、衣服の外側上に配置され、下方脚部部分は、衣服の上方部分の外側となるよう上向きに折り曲げられる。
【０００８】
本発明の別の形態では、上方衣服取付け装置は、衣服の内側上に配置され、下方脚部部分は、衣服の上方部分の内側となるように折り曲げられる。好ましくは、衣服の上方部分は、共動脚部取付け装置と上方衣服取付け装置の取付け及び解放を容易にするための、アクセス開口部を備える。好ましくは、アクセス開口部は、衣服の周りに周方向に延びる横方向開口部と、横方向開口部と交わりそこから下方向に延びる縦方向開口部とを備え、それにより少なくとも１つのフラップを画成し、この少なくとも１つのフラップは、それぞれの脚部を短くするための脚部内部を通る下方脚部部分へのアクセスを容易にするように、アクセス開口部を開くために外向きに開くことができる。好ましくは、縦方向開口部は、横方向開口部に沿った中間位置にて横方向開口部と交わり、それにより１対のフラップを画成する。好ましくは、まちは、フラップ又は各フラップの移動を制限するように、開口部の端から端まで延びる。
【０００９】
好ましくは、解放可能な継目は、脚部の裾端部と上方衣服取付け装置のほぼ中間まで延びる。
【００１０】
本発明の好ましい形態において、脚部取付け装置は、各脚部の裾端部又はその隣に配置される。
【００１１】
本発明の一形態において、この衣服はさらに、対応する上方衣服取付け装置と脚部取付け装置との間で各脚部上に配置された、それぞれの中間取付け装置と、脚部取付け装置より下方で各脚部上に設けられた、それぞれの下方取付け装置とを備え、折り曲げられる下方部分が、対応する脚部取付け装置を上方衣服取付け装置に係合させるように上方部分の隣に折り曲げられる前に、脚部を短くするために、下方脚部部分を対応する下方脚部取付け装置と中間取付け装置とを係合させるように折り曲げることができる。好ましくは、中間取付け装置は衣服の外側上にあり、下方脚部部分は、対応する中間取付け装置と下方取付け装置とを係合させるように、脚部の外側に折り曲げられる。
【００１２】
本発明の一形態において、ウエスト取付け装置が、ベルトを受容するために、ウエストバンドのところに好ましくは設けられ、脚部取付け装置が、パンツ脚部が上向きに折り曲げられるときベルトループの位置と一致するように裾上に位置決めされる。解放可能な継目は、いかなる適当な開放可能な締結具を用いて形成することもできる。本発明の一形態において、ジッパが使用されるが、マジックテープ又はスナップロックファスナを使用することもできる。
【００１３】
脚部取付け装置は、スナップロックファスナが装着された帯の形をとることができる。本発明の一形態において、解放可能な継目及び反対側の開放可能な継目それぞれの側部に隣接してそれぞれ配置される、３つの取付け装置が設けられる。
【００１４】
本発明の好ましい一実施形態では、脚部の外側には、それに沿って延びる解放可能な継目が設けられない。
【００１５】
別の態様によれば、本発明は、袖を有するコンバーチブル衣服を提供し、前記衣服は、肘下の長さまで延び底部袖口端部をそれぞれ有する１対の袖と、各袖口から各袖に沿って延びるそれぞれの解放可能な継目と、各袖の前記袖口端部又はその隣に設けられた袖取付け装置と、解放可能な継目の上方端部より上方にあるそれぞれの上方衣服取付け装置とを備え、前記解放可能な継目は、開くことができ、各袖の下方部分は、袖の上方部分の隣に延びるように折り曲げられ、袖取付け装置は、衣服を長袖構成から短袖構成に変換するために、袖口端部を衣服のそれぞれの上方部分に固定するように、上方衣服取付け装置のうちの対応する一方に解放可能に係合させられる。
【００１６】
従来のパンツでは、パンツ脚部が典型的には、パンツ座部の股部区間から裾のところの足が出る下方開口部まで完全に包囲されていることが明らかであろう。この発明は、パンツ脚部を解放可能な内側継目に沿って一時的に開くことを可能にし、それにより、下方脚部区間を上向きに折ることが容易になる。同様に、本発明に従ってシャツの袖を開くことにより、袖を上向きに折って短袖構成にすることが容易になる。
【００１７】
この発明による衣服の構造が、長パンツからショーツ及び長袖から短袖への変換における衣服の部分の取外しをなくす、ワンピース構造をもたらすことも明らかであろう。
【００１８】
添付の図面を参照しながら、本発明のいくつかの実施形態をここで説明する。
【図面の簡単な説明】
【００１９】
【図１】本発明の第１の実施形態による１着のパンツの後部を示す概略図である。
【図２】一方の解放可能な継目が開きパンツ脚部が部分的に折り曲げられた、本発明による１着のパンツの前部を示す概略図である。
【図３】一方の脚部が短くされた、本発明による１着のパンツの前部を示す図である。
【図４】本発明のパンツの一部を形成するベルトループ及び取付け装置を示す概略図である。
【図５Ａ】本発明による１着のパンツのさらなる実施形態を示す図である。
【図５Ｂ】本発明による１着のパンツのさらなる実施形態を示す図である。
【図５Ｃ】本発明による１着のパンツのさらなる実施形態を示す図である。
【図６Ａ】本発明による１着のパンツのさらに別の実施形態を示す図である。
【図６Ｂ】本発明による１着のパンツのさらに別の実施形態を示す図である。
【図６Ｃ】本発明による１着のパンツのさらに別の実施形態を示す図である。
【図７】本発明の第２の実施形態による１着のパンツの前部を示す概略図である。
【図８】一方の解放可能な継目が開きパンツ脚部が部分的に折り曲げられた、図７のパンツの前部を示す図である。
【図９】パンツ脚部がさらに部分的に折り曲げられた、図８のパンツを示す図である。
【図１０】下方取付け装置が中間取付け装置に結合された、図９のパンツを示す図である。
【図１１】パンツの上方部分内に折り曲げられた図１０のパンツを示す図である。
【図１２】一方の脚部が短くされた図７から図１１のパンツを示す図である。
【図１３】図１２の短くされた脚部を示す概略断面図である。
【図１４】本発明の第３の実施形態による１着のパンツの前部を示す概略図である。
【図１５】一方の脚部が部分的に折り曲げられた図１４のパンツを示す図である。
【図１６】一方の脚部が短くされた図１４及び図１５のパンツを示す図である。
【図１７】図１６の短くされた脚部を示す断面図である。
【図１８】１つの解放可能な継目が開きパンツ脚部が部分的に折り曲げられた、本発明の第４の実施形態による１着のパンツの前部を示す図である。
【図１９】両方の脚部が拡げられ両方の解放可能な継目が閉じられた、図１８の１着のパンツの後部を示す図である。
【図２０】脚部が完全に折り曲げられ、関連する拡張可能なアクセス開口部が部分的に開かれた、図１８の１対のパンツの前部を示す図である。
【図２１】図２０に示す部分的に開いたアクセス開口部を示す前方詳細図である。
【図２２】より大きく開いた図２１に示すアクセス開口部を示す前方詳細図である。
【図２３】アクセス開口部が図２２に示すのと同程度開いた、図１８のパンツを示す図である。
【図２４】折り曲げられたパンツ脚部上の下方取付け装置が上方取付け部分に部分的に取り付けられた、完全に開いた図１８のパンツのアクセス開口部を示す前面図である。
【図２５】図２４に示す構成を示す背面図である。
【図２６】袖付きシャツの形の本発明によるコンバーチブル衣服のさらなる実施形態を示す図である。
【発明を実施するための形態】
【００２０】
図１から図３は、１着のパンツの形の本発明の一実施形態を示す。パンツは、概ね従来の構造のものである。パンツは、パンツの頂部を画成するウエストバンド２を有する。一連のベルトループ３が、ウエストバンド２の周りに間隔をおいて取り付けられている。１対の脚部４、５が丈の下方へ延びており、底端部を画成する裾６、７をそれぞれ有する。各脚部４、５は、対応する裾６、７から上方に延びる解放可能な内側脚部継目９、１０を備える。解放可能な継目９、１０は、好ましくは、裾から裾６、７とウエストバンド２との間のほぼ中間点へと延びるジッパの形である。各脚部５、６の裾６、７には、裾取付け装置が装着されている。裾取付け装置は、解放可能なループの形成を可能にするスナップ係止コネクタ１２、１３が装着された、（図４に示すような）布帯１１である。裾取付け装置１１は、取付け装置の領域１４内で裾の内側（図示せず）に縫い付けられる。各脚部４、５は、解放可能な継目９、１０の縁部隣接部及び継目の反対側でそれぞれ裾６、７の内側に固定された、３つの裾取付け装置１１を有する。２つの裾取付け装置１１が図２に示されており、ここで脚部４の裾６は、裾取付け装置１１によってベルトループ３に取り付けられている。
【００２１】
使用に際してパンツ１の脚部４、５は、解放可能な継目９、１０を開くことによって短くされる。これは、パンツ脚部の上方への最初の折曲げも示す図２に最もよく示されている。図３に見られるようにパンツの脚部は、裾６がウエストバンド２の周りに延びるように、パンツ１の頂部を覆って上方にさらに折り曲げることができる。裾取付け装置１１は、脚部を３箇所でベルトループ３に固定する。これによりパンツが短パンツに変換される。
【００２２】
図５Ａから図５Ｄは、本発明によるパンツのさらなる実施形態を示す。この実施形態では、修正された裾取付け装置が、裾６、７の内側に縫い付けられた布帯１６に取り付けられた金属ループ１５の形で設けられる。ズボン脚部をパンツのウエスト周りに保持するために、布帯１９によって固定された対応位置の金属フック１８が、フック１５の係合のためにウエストバンド３に隣接して設けられる。さらなる実施形態のパンツは、その他すべての点において第１の実施形態に関して説明したようなパンツと同じであり、同一の参照番号は、対応する特徴部分を特定するために使用されている。
【００２３】
図６Ａから図６Ｃは、本発明によるパンツのさらに別の実施形態を示す。この実施形態では、裾取付け装置１１が、パンツの裾６、７上に設けられたメススナップボタン部分２０に置き換えられる。対応するオススナップボタン部分２１が、係合によりパンツの裾６、７をパンツのウエスト３の周りに固定するようにウエストバンド３に隣接して位置決めされる。
【００２４】
図７から図１３は、１着のパンツの形のコンバーチブル衣服の別の実施形態を示す。パンツの全体的な構造は、図１から図６に示したものと同じであり、同一の参照番号は、対応する特徴部分に使用されている。パンツ１は、パンツの頂部を画成するウエストバンド２を有する。１対の脚部４、５が膝下の長さまで延びており、底端部を画成する裾６、７をそれぞれ有する。各脚部４、５は、対応する裾６、７から上方に延びる解放可能な内側脚部縫目９、１０を備える。解放可能な継目９、１０は、裾から裾とウエストバンド２のほぼ中間へと延びるジッパの形である。この実施形態では、脚部は、パンツを長脚部構成から短脚部構成に変換するために、２回折り曲げられる。各脚部４、５は、各脚部の下方部分の内側に脚部取付け装置３０を備える。脚部取付け装置３０は、図７では詳細が隠されて示されている。脚部取付け装置３０は、各脚部４、５の内側の周りを内側脚部継目９、１０（複数可）の片側から内側脚部継目のもう一方の側へと周方向に延びる、片方のジッパファスナの形をとる。もう片方のジッパファスナの形の上方衣服取付け装置３１が、解放可能な継目９、１０の上方端部上方のパンツの太腿領域に配置されている。この上方ファスナジッパ３１は、ジッパファスナ３０の長さに対応して、衣服の内側の周りで周方向に延びる。上方ジッパ３１への内部アクセスを可能にするために、ファスナジッパ３１に長さ及び位置が対応するアクセスジッパ３７が、衣服の脚部４、５内に設けられる。中間取付け装置３２が、脚部取付け装置３０と上方衣服取付け装置３１の中間に設けられる。中間取付け装置３２は、脚部４、５の外側の周りで周方向に延びるジッパファスナの片側の形をとる。ジッパファスナを隠すために、カバーフラップ３４が設けられる。ジッパの形の下方取付け装置３５が、パンツの裾に隣接して設けられ、脚部４、５の外側の周りで周方向に延びる。ジッパ３５を隠すために、材料３６のカバーフラップが設けられる。
【００２５】
４つの取付け装置３０、３１、３２、３５が、以下で説明するような衣服の折曲げをもたらすようにほぼ等間隔に配置されることが明らかであろう。取付け装置同士の間の領域を、Ａ、Ｂ、Ｃとラベル付けする。
【００２６】
パンツを図７に示すような長脚部構成から短脚部構成へと変換するために、以下のステップが行われる。隣接する上方ジッパ３１へのアクセスを可能にするために、アクセスジッパ３７が開かれる。内側継目９、１０が、その上端部まで全部開かれる。次いで、下方取付け装置のジッパ部分３５と中間取付け装置のジッパ部分３２とを係合させジッパを閉じることができるように、各脚部の下方部分Ａが外側を覆って上方に折り曲げられる。これにより、脚部が図１０に示される形まで短くされ、脚部取付け装置（ジッパ）３０は、脚部の下方部分Ａが脚部Ｂの部分を覆って折り曲げられた状態で、短くされた脚部の下方端部にくる。次いで、開いたアクセスジッパ３７によって形成されたアクセスホール３８を通して脚部取付けジッパ３０をジッパ装置３１と係合させることができるように、折り曲げられた部分が脚部４の内側を上方へと通される。ジッパ３０は、脚部の下方部分Ａ、Ｂが上方部分Ｃの内側上でその隣に延び適切な位置で保持されるように、上方ジッパ３１に取り付けられる。次いで、短くされた脚部の最下部は、中間ジッパ３２を覆うフラップ３４になる。短脚部構成における個々の部分の位置は、個々のパネルがラベル付けされた図１３の概略断面図に見ることができる。最も下のパネルであるパネルＡは、裾６を最も下にして内側に位置決めされる。次のパネルであるパネルＢは、最も下のパネルＡと太腿部パネルＣとの間に位置決めされる。すべての取付け装置が固定されると、アクセス開口部３８が閉じられ、パンツは短脚部構成における着用が準備完了となる。履物を脱ぐことを必要とせず、衣服のいかなる部分も取り外さずにパンツを着用したまま、長パンツ構成から短パンツ構成への変換及びその逆が容易に達成できることを理解されたい。
【００２７】
図１４から図１７は、１着のパンツの形のコンバーチブル衣服の別の実施形態を示す。パンツの全体的な構造は、図７から図１３に示したものと同じであり、同一の参照番号は、対応する特徴部分に使用されている。パンツ１は、パンツの頂部を画成するウエストバンド２を有する。１対の脚部４、５が膝下の長さまで延びており、底端部を画成する裾６、７をそれぞれ有する。各脚部４、５は、対応する裾６、７から上方に延びる解放可能な内側脚部縫目９、１０を備える。解放可能な継目９、１０は、裾から裾とウエストバンド２のほぼ中間へと延びるジッパの形である。この実施形態では、脚部は、パンツを長脚部構成から短脚部構成に変換するために、１回折り曲げられる。各脚部４、５は、各脚部の下方部分の外側上に脚部取付け装置３０を備える。脚部取付け装置３０は、裾６、７に隣接して外側の周りで周方向に延びる片方のジッパファスナの形をとる。ジッパ３０は、裾のほぼ全周に延びる。ジッパを隠すために、カバーフラップ３６が設けられる。対応する片方のジッパファスナの形の上方衣服取付け装置３１が、ウエストバンド２に隣接してパンツの上方部分内に配置される。上方ファスナジッパ３１は、衣服の内側の周りに周方向に延び、ジッパ３０の長さに対応する。上方ジッパ３１の内部アクセスを可能にするために、ファスナジッパ３１に長さ及び位置が対応するアクセスジッパ３７が、衣服のウエストバンド２付近に設けられる。
【００２８】
以下で説明するような、衣服のほぼ半分の折曲げをもたらすように、それぞれの取付け装置又はジッパ３０、３１が、パンツの長さだけ実質的に離れていることが明らかであろう。
【００２９】
パンツを図１４に示すような長脚部構成から短脚部構成へと変換するために、以下のステップが行われる。隣接する上方ジッパ３１へのアクセスを可能にするために、アクセスジッパ３７が開かれる。内側継目９、１０が、その上端部まで全部開かれる。アクセスホール３８を通して脚部ジッパ３０を上方ジッパ３１と係合させることができるように、下方部分Ｆの裾６、７が、脚部の内側を上方へと通される。脚部ジッパ３０は、脚部の下方部分が上方部分Ｇの内側上でその隣に延び適切な位置で保持されるように、上方ジッパ３１に取り付けられる。脚部の最下部はこうして、パンツの長さのほぼ半分の脚部の折曲げ線４０となる。短脚部構成における個々の部分の位置は、個々のパネルが分類されている図１７の概略断面図Ｄ−Ｄに見ることができる。最も下のパネルであるパネルＦは、裾７を最も上にして上方パネルＧの内側上に位置決めされる。ジッパ３０、３１が固定されると、アクセス開口部３８が閉じられ、パンツは短脚部構成における着用が準備完了となる。
【００３０】
図１８から図２５は、１着のパンツの形のコンバーチブル衣服の別の実施形態を示す。パンツの全体的な構造は、図１４から図１７に示したものと同じである（同一の参照番号は対応する特徴部分に使用されている）が、拡張可能な修正されたアクセス開口部を組み込む。パンツ１は、ウエストバンド２を有し、パンツの頂部を画成する。脚部４、５は、膝下の長さまで延び、底端部を画成する裾６、７をそれぞれ有する。各脚部４、５は、対応する裾６、７から膝よりわずかに上の位置へと上方に延びる、解放可能な内側脚部縫目９、１０をそれぞれ備える。
【００３１】
この実施形態では、パンツを長脚部構成から短脚部構成に変換するために、図１４から図１７に示す実施形態のような脚部が１度折り曲げられ、脚部はそれぞれ、各脚部の下方部分の外側上に脚部取付け装置３０を備える。脚部取付け装置３０は、裾６、７に隣接して外側の周りで周方向に延びる片方のジッパファスナの形をとる。ジッパ３０は、裾のほぼ全周に延びる。ジッパを隠すために、カバーフラップ３６が設けられる。対応する片方のジッパファスナの形の上方衣服取付け装置３１は、パンツの股部とウエストバンド２との間に、より詳細にはウエストバンド２に隣接して、パンツの上方部分内に配置される。上方ファスナジッパ３１は、衣服の内側の周りに周方向に延び、ジッパ３０の長さに対応する。
【００３２】
パンツ１は、（上記実施形態のすべてのパンツも備えることができるように）内側層又は裏地６９を備え、内側層又は裏地６９は、ウエストバンド２のところで、また前立ての対合する長手縁部に沿って、パンツの外側層に取り付けられる。裏地６９は、座部領域（座部はウエストと股部との間のパンツの領域である）及びパンツ１の上方脚部部分を裏打ちするが、それらから分離されているので、脚部が短くされるときに裏地６９と上方脚部部分との間に下方脚部部分Ｆを受容することができる。
【００３３】
パンツ１はさらに、パンツの座部内に、１対のアクセス開口部７０を各脚部４、５に１つずつ備える。アクセス開口部７０は、パンツの内部を通る下方脚部部分Ｆへのアクセスを改善して、パンツを着用したまま裏地６９とパンツの外側層との間からパンツの各脚部の内部を通って下方に手を伸ばし、部分Ｆを上方に引っ張り、下方脚部取付け装置３０を衣服の外側層の裏側に隠されている上方衣服取付け装置３１に結合させることにより、パンツを短脚部構成に変換することを可能にする。
【００３４】
アクセス開口部７０は、上前方太腿領域から座部の後方中心付近部分へとウエスト領域の周りに延びる、横方向開口部７２を備える。図１８から図２０に見られるように、横方向開口部は、ウエストバンド２に隣接してわずかにその下方に設けられる。各横方向開口部７２は、端部と端部を突き合わせて構成された、１対の対向するアクセスジッパ７３、７４を備える。比較的長さが短いジッパ７３は、上前方太腿領域の中間から前立てに向かって延びる。ジッパ７４は、パンツの側部の周りを、上前方太腿領域の中間から座部の後方中心付近部分まで延びる。ジッパ７３及び７４は、ジッパ７３、７４を閉じるために互いに向かって動かすことができ、ジッパ７３、７４、すなわち横方向開口部７２を開くために互いから離して動かすことができる、別々のスライダを備える。
【００３５】
アクセス開口部７０は、縦方向開口部７６をさらに備え、この縦方向開口部７６は、横方向開口部７２と交わり、そこからほぼ下向き、すなわち裾に向かう方向に延びる。パンツの外部層内のスリットの形をとる縦方向開口部７６は、ジッパ７３及び７４の隣接する端部同士の間から、上前方太腿領域の中間、すなわち股部の高さよりわずかに上方へと延び、そこで終端する。縦方向開口部７６は、横方向開口部７２から外向きに外側脚部継目に向かって延び、それぞれの脚部の縦軸に対して約１０°から１５°の角度を形成する。
【００３６】
横方向開口部７２及び縦方向開口部７６は、対向するフラップ７７、７８を画成し、フラップ７７、７８は、それぞれの脚部を短くするために、アクセス開口部７０を開き、脚部の内部を通る下方脚部部分へのアクセスを容易にするように、外向きに操作可能である。
【００３７】
アクセス開口部７０が閉じられるとき、フラップ７７及び７８はわずかに重なり、フラップ７８の縦方向縁部がフラップ７７の縦方向縁部に重なる。
【００３８】
フラップ７７、７８は、縦方向縁部と解放可能に合わさる閉鎖部を備える。具体的には、フラップ７８の内壁及びフラップ７７の外壁は、フラップ７８、７７の縦方向縁部に沿って配列されたスナップボタン８０の形の、対合するスナップファスナを備える。マジックテープ又はジッパファスナなど、代替締結手段も可能であることを理解されたい。
【００３９】
フラップ７７及び７８の縦方向縁部間に、拡張可能なまち８２が延在する（図２１から図２４を参照）。まち８２は、フラップ７７、７８の縦方向縁部のほぼ全体に沿って延び、横方向開口部７６のほぼ全体を覆うように横方向開口部７６の端から端まで延びる。フラップ７８上のスナップボタン８０へのアクセスを可能にするために、まち８２内に穴が設けられる。
【００４０】
図２４及び図２５に見られるように、アクセス開口部７０が完全に開いているとき（すなわちジップ７３、７４及びファスナ８０が閉められていないとき）、まち８２は完全に拡張され、アクセスキャビティ８３が画成される。キャビティ８３は、フラップ７７、７８の横方向縁部及びまち８２の上方縁部によって形成される、上向きに開いたアクセス口８４を有する。次いで、ジッパ７３、７４のわずかに下に位置決めされそれらと全体的に位置合せされる上方取付け装置３１が、口８４を通って容易にアクセス可能となる。
【００４１】
フラップ７７、７８が閉じられるとき、まち８２は、ギャザー構成となり、裏地６９に接触して受容される。
【００４２】
完全に拡張された各まち８２は（すなわち上方縁部がピンと張っているとき）、フラップ７７、７８が太腿領域から完全に落ちて離れることを妨げる。また有利には、フラップ７７、７８及びまち８２は、フラップ７７、７８の重量、及びそれらに付随する太腿領域から落ちて離れようとする傾向により、アクセスキャビティ８３を作り出す。まち８２は、平坦な構成となるのではなく外側にわずかに膨らむように十分面積の大きい布で形成され、キャビティ８３のサイズを増大させる。
【００４３】
ジッパ３１は、上記実施形態でそうすることができるように、裏地６９の外側に設けられ、アクセス開口部が閉じられるとき内側に隠される。有利には上方取付け装置３１は、上記すべての実施形態の場合のように、パンツの股部８６の上方、特にウエストバンド２のわずかに下方に位置決めされる。その結果、下方脚部部分Ｆの裾端部は、上方衣服取付け装置３１に取り付けられるとき、はるかに小さい（股部より下方の）上方脚部部分の周囲内に閉じ込められて着用者の上方脚部の周りでかなりの距離延び、貴重な空間を塞ぎ、締付けを生じ、又は望ましくない程たるんだ上方脚部部分を必要とするのではなく、衣服の座部部分内に収容される。特に図２３及び図２４から明らかとなるように、下方脚部部分のかなりの部分は、上方衣服取付け装置３１の位置のおかげでパンツの座部区間内に受けられ、股部８６より下方で受容される場合よりもはるかに平坦な構成となる。
【００４４】
この実施形態のパンツは、図１から図６及び図１４から図１７に示す実施形態のパンツと同様、パンツをショーツに変換するためにそれぞれ１度だけ折り曲げられる脚部を備え、それによって脚部材料がそれ自体の上に折り返される回数を最小限にし、着用者の脚部の上方部分が暑くなり過ぎたり、複数の折り曲げられた層により締め付けられたりする傾向を最低限に抑える。
【００４５】
次に、着用者によって着用されたままでパンツを短くする方法を説明する。
【００４６】
まず、着用者は下方に手を伸ばし、ジッパ９、１０のうちの一方を開き、それにより解放可能な継目のうちの一方を解放する。
【００４７】
次に、着用者はジッパ７３、７４を開き、解放可能なファスナ８０を分離させると、フラップ７７、７８は、まち８２が完全に拡張しアクセス開口部７０が完全に開くまで、パンツの座部区間から外向きに開く。
【００４８】
次いで着用者は、口８４に腕を入れ、脚部部分内部の下方に手を伸ばして下方脚部部分を把持し、脚部内部を通してそれを引き上げる。着用者は次いで、下方衣服取付けジッパ３０をジッパ３１に締結する。有利には、開いたアクセス開口部７０によって作り出されるキャビティのサイズが大きいことにより、着用者は下方脚部部分の材料を、その太腿上部の周りに円滑且つ均一に分布させるように扱うことができる。
【００４９】
最後に、ジッパ７３及び７４が閉じられ、対合するファスナ８０が再び取り付けられる。
【００５０】
上記手順は、他方の脚部に繰り返され、パンツの短構成をもたらす。
【００５１】
有利には、本発明のパンツは、各筒状パンツ脚部を解放可能な内継目に沿って開くことを可能にし、それにより、（そうでなければ筒状のままの）下方脚部区間が折り曲げられて着用者脚部のより広い上方領域周囲に配置される場合に生じるであろう締付けをなくす。そのような締付けは、（よくあることだが）脚部内部の横方向断面積が足首の方向に向かって減少するようにパンツの脚部が先細になる場合、より一層顕著となるであろう。
【００５２】
本発明のパンツが、長パンツを短パンツに、又はその逆に変換する、単純、迅速、且つ効果的な方法を提供するという利点を有することは明らかであろう。これにより着用者は、衣服を着替えることなく、支配的な気候条件又は身体活動のレベルに従って、所望のレベルの快適さ及び／又は防護を達成することが可能になる。さらに短パンツへの変化は、紛失又は置き忘れられるおそれのあるパンツのいかなる部分の取外しももたらさない。
【００５３】
図２５は、シャツ５０の形のコンバーチブル衣服を示す。シャツ５０は、全体的に従来の構造のものであり、１対の長袖５１及び５２を有する。袖は袖口５３内で終端しており、各袖口から袖に沿って袖口と肩のほぼ中間まで延びるジッパの形の解放可能な継目５５を備える。袖口又はその隣に、袖取付け装置５７が設けられており、コンバーチブルパンツに関して上記で説明したような片方のジッパの形をとる。上方衣服取付け装置５９が、袖の内側上に対応する片方のジッパの形で設けられている。上方衣服取付け装置５９へのアクセスが、ジッパ６１を備える開口部６０を通して提供される。コンバーチブルパンツに関して説明したように、長袖シャツは、解放可能な継目５５を開き、袖Ｍの下方部分を袖Ｎの隣及び内側に延びるように内側に折り曲げることにより、短袖シャツに変換することができる。袖取付け装置５７は、肩の隣で袖口端部５３を袖に固定するために、対応する上方衣服取付け装置５９に係合させられる。
【００５４】
上記は、本発明のいくつかの実施形態を説明しているに過ぎず、本発明の範囲から逸脱することなく修正を行うことが可能である。
【図１】
2010531395.tif 000003
【図２】
2010531395.tif 000004
【図３】
2010531395.tif 000005
【図４】
2010531395.tif 000006
【図５Ａ】
2010531395.tif 000007
【図５Ｂ】
2010531395.tif 000008
【図５Ｃ】
2010531395.tif 000009
【図５Ｄ】
2010531395.tif 000010
【図６Ａ】
2010531395.tif 000011
【図６Ｂ】
2010531395.tif 000012
【図６Ｃ】
2010531395.tif 000013
【図７】
2010531395.tif 000014
【図８】
2010531395.tif 000015
【図９】
2010531395.tif 000016
【図１０】
2010531395.tif 000017
【図１１】
2010531395.tif 000018
【図１２】
2010531395.tif 000019
【図１３】
2010531395.tif 000020
【図１４】
2010531395.tif 000021
【図１５】
2010531395.tif 000022
【図１６】
2010531395.tif 000023
【図１７】
2010531395.tif 000024
【図１８】
2010531395.tif 000025
【図１９】
2010531395.tif 000026
【図２０】
2010531395.tif 000027
【図２１】
2010531395.tif 000028
【図２２】
2010531395.tif 000029
【図２３】
2010531395.tif 000030
【図２４】
2010531395.tif 000031
【図２５】
2010531395.tif 000032
【図２６】
2010531395.tif 000033
【国際調査報告】
2010531395.tif 000034
2010531395.tif 000035
2010531395.tif 000036